(57)【要約】【課題】リモートコントローラを操作しても、上下フレームが不用意に下降することがないようにしたベッド装置にある。【解決手段】ベースフレームに上下方向に駆動可能に設けられた上下フレームと、上下フレームに設けられ上面に利用者が仰臥するための床板体と、上下フレームを上下方向に駆動する上下駆動源８と、上下駆動源を駆動操作するためのリモートコントローラ２９と、床板体上に利用者が居るか否かを検出する検知スイッチ２６を備え、検知スイッチによって床板体上に利用者が居ないことが検出されたときに、リモートコントローラを操作しても上下駆動源による上下フレームの上昇方向と下降方向への駆動のうち、少なくとも下降方向への駆動が不能になるようにする。【選択図】  図５
2019110976.tif 000002
【特許請求の範囲】
【請求項１】
ベッド本体と、
このベッド本体に上下方向に駆動可能に設けられた上下フレームと、
この上下フレームに設けられ上面に利用者が仰臥する床板体と、
前記上下フレームを上下方向に駆動する駆動手段と、
この駆動手段の駆動を制御するための制御手段と、
前記床板体上に利用者が居るか否かを検出する検出手段を具備し、
前記床板体上に利用者が居ないことが検出されたときに、前記制御手段を操作しても前記駆動手段による前記上下フレームの上昇方向と下降方向への駆動のうち、少なくとも下降方向への駆動が不能になるようにすることを特徴とするベッド装置。
【請求項２】
前記検出手段によって前記床板体上に利用者が居ないことが検出されたときに、前記制御手段を操作しても前記駆動手段による前記上下フレームの上昇方向と下降方向への駆動のうち、少なくとも下降方向への駆動が不能になるようにする駆動変更手段を有し、
前記駆動変更手段は、前記検出手段が前記床板体に利用者が居ないことを検出したとき、前記駆動手段による前記上下フレームの下降方向への駆動を可能とする第１の切換え手段であることを特徴とする請求項１記載のベッド装置。
【請求項３】
前記床板体は、複数の床部に分割されていて、そのうちの１つは前記床板体に固定された固定床部で、他の床部の少なくとも一部は前記固定床部に回動可能に連結された可動床部であって、
前記可動床部を起伏駆動する背上げ用駆動手段を有し、
前記検出手段が前記床板体に利用者が居ないことを検出したときに、前記背上げ用駆動手段による前記可動床部の起立方向と倒伏方向への駆動のうち、少なくとも倒伏方向への駆動を不能とすることを特徴とするベッド装置。
【請求項４】
前記背上げ用駆動手段による前記可動床部の倒伏方向への駆動を可能とする第２の切換え手段を備えていることを特徴とする請求項３記載のベッド装置。
【請求項５】
前記第１の切換え手段と前記第２の切換え手段は１つの切換え手段によって兼用されることを特徴とする請求項３記載のベッド装置。
【請求項６】
利用者が仰臥するための床板体を有するベッドフレームと、
このベッドフレームの四隅部に上下方向に沿って設けられたガイド部材と、
前記ガイド部材に移動可能に設けられ前記ガイド部材の下端側に突出して前記ベッドフレームを所定の高さで支持する脚部材と、
前記ベッドフレームに設けられ前記脚部材に沿って前記ガイド部材とともに前記ベッドフレームを上昇限と下降限との間で駆動して前記脚部材による前記ベッドフレームの支持高さを変更する駆動手段と、
この駆動手段の駆動を制御するための制御手段と、
前記床板体上に利用者が居るか否かを検出する検出手段と、
この検出手段によって前記床板体上に利用者が居ないことが検出されたときに、前記駆動手段による前記上下フレームの下降方向への駆動が不能になるよう阻止する駆動変更手段と
を具備したことを特徴とするベッド装置。
【発明の詳細な説明】
【技術分野】
【０００１】
この発明は、たとえば病院などで介護用に使用するために好適する起床式ベッド装置に関する。
【背景技術】
【０００２】
たとえば、老人や身体の不自由な利用者などが用いるベッド装置として起伏式のベッド装置が知られている。このベッド装置は、ベッド本体(ベッドフレーム)を有し、このベッド本体には上下駆動機構によって上下方向に駆動される上下フレームが設けられている。この上下フレームにはマットレスが載置される床板体が設けられる。この床板体は複数の床部に分割されている。
【０００３】
複数の床板部のうち、ベッド本体の長手方向中央部に位置する床部はベッド本体に取付けられる固定床部とし、この固定床部の一端に複数若しくは１つの床部を背上げ床部として起伏可能に連結し、他端に複数若しくは１つの床部を脚上げ床部として起伏可能に連結して構成されている。
【０００４】
そして、前記床板体の前記背上げ床部や前記脚上げ床部の可動床部は背上げ用駆動源を有する背上げ駆動機構によって駆動されるようになっている。
【０００５】
一方、病院などでは利用者が前記ベッド装置の前記マットレス上にいるか否かを検出し、たとえばナースセンターなどで利用者の状態を把握するということが行われている。つまり、前記マットレス上に利用者がいるか否かを離床検出手段によって検知するということは知られている。
【先行技術文献】
【特許文献】
【０００６】
【特許文献１】特許第５７１９６９４号公報
【発明の概要】
【発明が解決しようとする課題】
【０００７】
ところで、前記構成のベッド装置は、通常、前記上下駆動機構や前記背上げ駆動機構は駆動を制御する駆動手段としてのリモートコントローラによって駆動できるようになっている。
【０００８】
そのため、ベッド装置の利用者が、たとえば前記床板体の下面側に物品を落としてしまい、その物品を前記ベッド装置から降りて拾おうとした場合、前記リモートコントローラの操作ボタンを不用意に押してしまうということがある。
【０００９】
そのような場合、たとえば所定の高さに上昇していた前記上下フレームが下降方向に駆動され、その上下フレームと前記ベッド本体との間に身体の一部や物品などを挟んでしまうという虞がある。
【００１０】
この発明は、利用者が上下フレームに設けられた床板体から降りたとき、前記上下フレームを下降方向へ駆動するための前記駆動手段の操作ボタンを不用意に操作するようなことがあっても、前記床板体が下降方向に駆動されることがないようにしたベッド装置を提供することにある。
【課題を解決するための手段】
【００１１】
この発明は、ベッド本体と、
このベッド本体に上下方向に駆動可能に設けられた上下フレームと、
この上下フレームに設けられ上面に利用者が仰臥する床板体と、
前記上下フレームを上下方向に駆動する駆動手段と、
この駆動手段の駆動を制御するための制御手段と、
前記床板体上に利用者が居るか否かを検出する検出手段を具備し、
前記床板体上に利用者が居ないことが検出されたときに、前記制御手段を操作しても前記駆動手段による前記上下フレームの上昇方向と下降方向への駆動のうち、少なくとも下降方向への駆動が不能になるようにすることを特徴とするベッド装置にある。
【発明の効果】
【００１２】
この発明によれば、上下フレームに設けられた床板体上に利用者がいないことが検出されたときに、前記制御手段によって前記上下フレームを上下駆動するよう操作しても、前記上下フレームが下降方向に駆動されるということがない。
【００１３】
そのため、利用者が前記床板体から降りて前記制御手段を不用意に操作するようなことがあっても、前記上下フレームが下降方向に駆動されて利用者の身体や物品などが前記上下フレームに挟まれるのを防止することができる。
【図面の簡単な説明】
【００１４】
【図１】この発明の第１の実施の形態を示す、上下フレームが上昇位置に駆動されたベッド装置の斜視図。
【図２】同じく上下フレームが下降位置に駆動されたベッド装置の斜視図。
【図３】検知スイッチの取付け構造を示す図。
【図４】リモートコントローラの正面図。
【図５】駆動手段を駆動するための制御手段を示すブロック図。
【図６】この発明の第２の実施の形態を示すベッドフレームが上昇位置にあるベッド装置の斜視図。
【図７】同じくベッドフレームが下降位置にあるベッド装置の斜視図。
【発明を実施するための形態】
【００１５】
以下、この発明の実施の形態を図面を参照しながら説明する。
【００１６】
図１乃至図５はこの発明の第１の実施の形態を示す。
【００１７】
図１と図２に示すベッド装置Ｂはベッド本体としての矩形枠状のベースフレーム１を備えている。このベースフレーム１の四隅部にはキャスタ２が設けられている。前記ベースフレーム１の長手方向一端側にはストッパペタル３が設けられ、このストッパペタル３を踏むことで、長手方向一端側に位置する一対のキャスタ２が回転不能に保持されるようになっている。
【００１８】
前記ベースフレーム１の上面側には、このベースフレーム１よりも大きな矩形枠状の上下フレーム５が設けられている。図１に示すように、前記上下フレーム５の長手方向の両端部と、前記ベースフレーム１の長手方向の両端部は、それぞれリンク機構からなる上下駆動機構６によって連結されている。
【００１９】
前後方向の一対の前記上下駆動機構６は連結杆７によって連動するよう連結されていて、図４のブロック図に示す駆動手段である、１つの上下駆動源８によって水平な状態で上下方向に駆動されるようになっている。
【００２０】
つまり、前記上下駆動源８によって前記上下駆動機構６が駆動されると、前記上下フレーム５は図１に示す上昇位置と、図２に示す下降位置との間で上下方向に駆動されるようになっている。
【００２１】
前記上下フレーム５の長手方向の一端と他端との幅方向の両端部にはそれぞれ取付け部１０が設けられている。各一対の取付け部１０には、それぞれボード体１１が幅方向の両端部に設けられた脚部１１ａを着脱可能に挿入して立設される。
【００２２】
前記上下フレーム５の幅方向の両側には、それぞれ長手方向に所定間隔で複数、この実施の形態では５つの取付け部１２が設けられている。前記上下フレーム５の両側部には、図示しない側柵が下端に突設された２つの脚部を、隣り合う２つの第２の取付け部１２に着脱可能に挿入して保持される。
【００２３】
なお、前記取付け部１２は、側柵を取り外した状態で水平方向に回動させることで、前記上下フレーム５の側面に接合する方向に折り畳むことができるようになっている。
【００２４】
図１に示すように、前記上下フレーム５の枠内には傾動フレーム１５が設けられている。この傾動フレーム１５の長手方向の両端面の、幅方向の一端部と他端部にはそれぞれローラ１４ａ（図１に１つだけ図示）が設けられている。各ローラ１４ａは前記上下フレーム５の内周部の長手方向両端部に設けられた受け部１４ｂ（同じく図１に１つだけ図示）に回転可能に支持されている。
【００２５】
それによって、前記傾動フレーム１５は幅方向の一端部と他端部のいずれか一方の長手方向両端部に設けられた一対のローラ１４ａを支点として幅方向（左右方向）に傾動可能に支持されている。
【００２６】
前記上下フレーム５には図示しない傾動リンク機構が設けられ、この傾動リンク機構は前記傾動フレーム１５に連結されている。前記傾動リンク機構は図５に示す駆動手段としての傾斜駆動源１６によって駆動される。
【００２７】
前記傾動フレーム１５が前記傾斜駆動源１６によって駆動されると、前記傾動フレーム１５は前記傾動リンク機構を介して幅方向の一端部或いは他端部に設けられた前記ローラ１４ａを支点として、支点側と反対側の端部が上昇する方向に傾動させられるようになっている。
【００２８】
前記傾動フレーム１５の上面、つまり前記上下フレーム５の上面には、前記傾動フレーム１５を介して床板体１８が設けられる。この床板体１８は前記傾動フレ−ム１５の外形寸法とほぼ対応する大きさの中央床板１９と、この中央床板１９の両側に図示しないヒンジによって上昇方向にのみ回動可能に連結された一対の側部床板２１とから構成されている。
【００２９】
各床板１９，２１は複数の床部に分割されている。この実施の形態では、２つの部分が一体的に連結された背床部１９ａ，２１ａ、この背床部１９ａ，２１ａの一端に、一端が回動可能に連結された中央床部１９ｂ，２１ｂ、この中央床部１９ｂ，２１ｂの他端に一端が回動可能に連結された第１の脚床部１９ｃ，２１ｃ、この第１の脚床部１９ｃ，２１ｃの他端に一端が回動可能に連結された２つで対をなす第２の脚床部１９ｄ，２１ｄによって構成されている。
【００３０】
図３に示すように、前記中央床板１９の前記中央床部１９ｂの下面四隅部には支軸２３が垂設されている。各支軸２３は下端が閉塞された筒体２２に上下方向にスライド可能に支持されている。前記上下フレーム５には、前記床板体１８の前記中央床部１９ｂの下面側で、前記中央床部１９ｂの幅方向に沿う支持板２４が架設されている。前記筒体２２は前記支持板２４の長手方向中途部に取付けられている。
【００３１】
前記筒体２２には前記支軸２３を弾性的に支持するばね２５が装着されている。それによって、前記中央床部１９ｂは前記ばね２５の復元力によって弾性的に上下方向に変位可能に支持されている。なお、前記中央床部１９ｂは四隅部がそれぞれ前記筒体２２を介して前記支軸２３によって支持されているから、前後左右方向にはずれ動かないようになっている。
【００３２】
前記支持板２４には検出手段としての検知スイッチ２６が設けられている。前記中央床部１９ｂの下面には前記検知スイッチ２６の作動子２６ａと対応する位置にアクチュエータ２７が設けられている。
【００３３】
前記床板体１８上に利用者が仰臥し、利用者の臀部などによって前記中央床部１９ｂに利用者の荷重が加わると、その荷重によって前記中央床部１９ｂが前記ばね２５を圧縮しながら下降する。
【００３４】
それによって、前記アクチュエータ２７が前記作動子２６ａを押圧して前記検知スイッチ２６を作動させるから、前記床板体１８上に利用者が居ることが検出される。利用者が前記床板体１８上から降りたときには、前記中央床部１９ｂが前記ばね２５の復元力によって上昇し、前記検知スイッチ２６の作動状態が解除される。それによって、利用者が前記床板体１８上から降りたこと、つまり利用者が居ないことが検知される。
【００３５】
前記中央床板１９の幅方向両側に、前記ヒンジによって上方向だけに回動するよう設けられた左右一対の前記側部床板２１は、前記上下フレーム５の幅方向両側の上面に設けられた当接部材２３（一方のみ図示）によって下面が当接支持されている。
【００３６】
前記傾動フレーム１５が前記傾動リンク機構を介して前記傾斜駆動源１６により、幅方向の一方側が上昇する方向に駆動されると、幅方向他方側である、傾斜方向下端側に位置する一方の前記側部床板２１は前記当接部材２３に下面が当接して上方へ押し上げられる。それによって、一方の前記側部床板２１は前記中央床板１９の幅方向他方側に対して上昇する方向に屈曲する。
【００３７】
前記床板体１８の下面側には図示しない背上げ駆動機構、及びこの背上げ駆動機構を駆動する駆動手段としての起伏駆動源２８（図５に示す）が設けられている。前記傾動フレーム１５は、前記起伏駆動源２８によって前記背上げ駆動機構が駆動されると、図１に示すように前記床板体１８の背床部１９ａ，２１ａが起上方向に駆動されるとともに、前記第１、第２の脚床部１９ｃ，２１ｃ及び１９ｄ，２１ｄは山形状に屈曲するよう駆動される。
【００３８】
なお、前記床板体１８の背床部１９ａ，２１ａを起立方向に駆動する際、前記第１、第２の脚床部１９ｃ，２１ｃ及び１９ｄ，２１ｄは駆動されないよう設定することもできるようになっている。
【００３９】
前記各駆動源８，１６，２８は図５に示す制御装置２７によって駆動が制御される。詳細は図示しないが、前記制御装置２７は前記上下フレーム５の下面側に設けられる。
【００４０】
前記制御装置２７は入力部５１を有する。この入力部５１には操作手段としてのリモートコントローラ２９を操作することで操作信号が出力される。この実施の形態では、前記制御装置２７と前記リモートコントローラ２９によって制御手段を構成している。
【００４１】
前記リモートコントローラ２９には、図４に示すように前記床板体１８の背床部１９ａ，２１ａを上昇及び下降させる背上げ動作用釦３１ａ，３１ｂ、同じく第１、第２の脚床部１９ｃ，２１ｃ及び１９ｄ，２１ｄを上昇及び下降させる脚上げ動作用釦３２ａ，３２ｂ、前記上下フレーム５を上昇及び下降させる昇降動作用釦３３ａ，３３ｂ、前記傾動フレーム１５を右方向或いは左方向に傾動させる傾斜動作用釦３４ａ，３４ｂ、及び背上げ状態、足上げ状態或いは傾斜状態にある前記床板体１８を水平状態に戻す水平用釦３５が設けられている。
【００４２】
前記リモートコントローラ２９の各操作釦を操作すると、その操作に応じた操作信号が前記入力部５１に出力される。前記入力部５１に出力された操作信号は処理部５２に出力されて処理されたのち、駆動出力部５３に出力される。そして、この駆動出力部５３から前記リモートコントローラ２９の操作に応じた駆動信号が上述した各駆動源８，１６，２８に出力される。
【００４３】
それによって、前記リモートコントローラ２９の操作に応じて、前記床板体１８の起伏操作、前記傾動フレーム１５の傾動操作、或いは前記上下フレーム５の上下操作などを行うことができるようになっている。
【００４４】
図５に示すように、前記検知スイッチ２６の検出信号は前記入力部５１に入力される。前記入力部５１に入力された前記検知スイッチ２６からの検出信号は前記処理部５２で処理される。
【００４５】
つまり、前記検知スイッチ２６によって前記床板体１８に利用者の荷重が加わり、前記床板体１８上に利用者が居ることが検知されると、前記リモートコントローラ２９の各操作釦の操作による前記上下駆動源８、前記傾斜駆動源１６及び前記起伏駆動源２８の駆動を行うことができる。それによって、前記上下フレーム５は上昇及び下降方向への駆動が可能となり、前記床板体１８は左右方向への傾斜駆動と、背上げ及び脚上げ駆動が可能となる。
【００４６】
前記床板体１８から利用者が降りると、そのことが前記検知スイッチ２６によって検出され、その信号が前記処理部５２に出力される。その場合、前記リモートコントローラ２９の各操作ボタンを操作しても、前記上下フレーム５の下降方向への駆動、前記床板体１８の左右方向への傾斜駆動、及び前記床板体１８がと背上げ及び脚上げされた起上状態にあるときには倒伏方向への駆動ができない状態となる。
【００４７】
前記リモートコントローラ２９には駆動変更手段である切換え手段としての切換えスイッチ５４が設けられている。介護者が前記切換えスイッチ５４をオフからオンに切換えると、前記検知スイッチ２６によって利用者が前記床板体１８から降りたことを検知し、その検知信号が前記入力部５１に入力されても、前記リモートコントローラ２９によって前記上下フレーム５の上下両方向への上下駆動、前記床板体１８の揺動駆動及び起伏駆動を行うことができるようになっている。
【００４８】
前記切換えスイッチ５４をオンからオフに切換えると、前記検知スイッチ２６によって利用者が前記床板体１８から降りたことを検知すると、前記リモートコントローラ２９による前記上下フレーム５の上下方向と下降方向への駆動、及び前記床板体１８の揺動駆動及び起伏駆動が阻止されるようになっている。
【００４９】
つまり、前記検知スイッチ２６によって利用者が前記床板体１８から降りたことが検知されても、前記切換えスイッチ５４の操作によって、前記上下フレーム５を下降方向に駆動したり、前記床板体１８を揺動駆動したり、さらには起上された前記床板体１８を倒伏方向に駆動することができる。
【００５０】
通常、ベッド装置Ｂに横臥した利用者に介助者が付き添っているような場合、前記切換えスイッチ５４をオンにする。それによって、前記リモートコントローラ２９に設けられた前記動作用釦での前記上下フレーム５と前記床板体１８の駆動制御のすべてを行うことができる。
【００５１】
介助者がベッド装置Ｂから離れるなどの場合、前記切換えスイッチ５４をオフにする。それによって、利用者がベッド装置Ｂから降りて、前記リモートコントローラ２９を不用意に操作しても、上昇位置にある前記上下フレーム５を下降方向に駆動したり、起上状態にある前記床板体１８を倒伏方向に駆動するなどのことが行えなくなる。
【００５２】
なお、前記切換えスイッチ５４をオフにしたとき、前記上下フレーム５の上昇方向と下降方向の駆動を不能とし、前記床板体１８の揺動方向及び起伏方向の駆動を不能としたが、前記上下フレーム５の下降方向の駆動と、前記床板体１８の倒伏方向の駆動だけを行えないようにしてもよい。つまり、前記上下フレーム５の上昇方向への駆動と、前記床板体１８の起上方向への駆動は行えるようにしてもよい。
【００５３】
また、利用者が前記床板体１８上に居るか否かの検知に基づく、前記上下フレーム５と、前記床板体１８の予め設定された駆動制御を、１つの切換えスイッチ５４によって切換えるようにしたが、前記上下フレーム５と前記床板体１８の駆動制御の切換えを、別々の切換え手段である切換えスイッチによって制御するようにしてもよい。
【００５４】
たとえば、前記上下フレーム５の駆動制御の切換えを第１の切換えスイッチ(第１の駆動変更手段)で行い、前記床板体１８の駆動制御の切換えを第２の切換えスイッチ(第２の駆動変更手段)で行うようにしてもよい。
【００５５】
上述した構成のベッド装置Ｂによれば、介助者がベッド装置Ｂの傍にいて、前記床板体１８上に仰臥した利用者の介護をするような場合、前記リモートコントローラ２９に設けられた前記切換えスイッチ５４をオンにしておく。
【００５６】
それによって、介護者は前記リモートコントローラ２９によって、前記上下フレーム５を上下動させたり、前記床板体１８を起伏駆動及び揺動駆動させることができる。そのため、介護者は介護作業がし易いよう、たとえば前記床板体１８の高さを上昇させたり、下降させるなどして変えることができるから、利用者の介護を容易かつ迅速確実に行うことができる。
【００５７】
また、利用者が前記床板体１８上に居ない場合でも、前記床板体１８の高さを変えることができるため、介護者はベッドメーキングなどの作業を容易に行うことが可能となる。
【００５８】
一方、介護者がベッド装置Ｂから離れるような場合、前記リモートコントローラ２９に設けられた前記切換えスイッチ５４をオフにする。それによって、前記リモートコントローラ２９による前記上下フレーム５の上下駆動、前記床板体１８の起伏駆動及び揺動駆動ができないようになる。
【００５９】
そのため、前記床板体１８上の利用者が、物を落とすなどしてベッド装置Ｂから降りて拾うような場合、前記リモートコントローラ２９の各動作用釦を不用意に操作するようなことがあっても、前記上下フレーム５が下降方向に駆動されたり、前記床板体１８が倒伏方向や幅方向に傾斜する方向などに駆動されることがない。
【００６０】
その結果、前記上下フレーム５が下降したり、前記床板体１８が倒伏するなどのことによって、前記ベッド装置Ｂから降りた利用者が身体の一部を前記上下フレーム５や前記床板体１８に押圧されたり、前記ベースフレーム１と前記上下フレーム５、或いは前記上下フレーム５と前記床板体１８との間に挟まれるなどのことが生じるのを防止できる。
【００６１】
前記切換えスイッチ５４をオフにしたとき、上述したように前記上下フレーム５の下降方向への駆動と、前記床板体１８の倒伏方向への駆動だけを行えないようにし、上昇方向と起立方向とだけに駆動できるようにしてもよい。
【００６２】
そのようにすれば、介助者は緊急時など、前記上下フレーム５や前記床板体１８を急いで上昇させたり、起上させなければならない場合、それらの上昇方向や起上方向への操作を、前記リモートコントローラ２９によって迅速に行うことができる。
【００６３】
また、前記切換えスイッチ５４をオフにしたとき、前記床板体１８の起上方向への駆動が行えれば、前記床板体１８を十分な角度に起上させることで、その下面側の様子が確認し易くなる。たとえば、利用者が前記床板体１８からこの板体１８の下方へ物品を落とした際、前記床板体１８の下方に物品があるか否かのなどの確認を容易かつ確実に行うことが可能になる。
【００６４】
図６と図７はこの発明の第２の実施の形態を示す。この第２の実施の形態はベッド装置Ｂの変形例である。この実施の形態のベッド装置Ｂはベッドフレーム６１を有する。このベッドフレーム６１は所定間隔で平行に離間した一対の側部材６２の長手方向一端と他端にそれぞれボード体６３が垂直方向に設けられている。
【００６５】
一対のボード体６３の幅方向両端部には中空状で、下端面が開口したガイド部材６４が設けられている。各ガイド部材６４には脚部材６５が移動可能に挿通されている。４本の脚部材６５は図示しない上下駆動源を有する上下駆動機構によって連動して上下方向に駆動されるようになっている。
【００６６】
それによって、前記ベッドフレーム６１は上下方向に駆動されるようになっている。一対の前記側部材６５間には床板体６８が幅方向の両端を前記側部材６５の内面に設けられた図示しない受け部に係合させて架設されている。
【００６７】
前記床板体６８の幅方向の両端の下面と前記受け部との間には、第１の実施の形態で説明したのと同様の構成の検知手段としての図５に示す検知スイッチ２６が設けられる。この検知スイッチによって前記床板体６８に利用者が居るか否かが検知され、その検知信号が図５に示す制御装置２７に出力される。
【００６８】
この実施の形態では、第１の実施の形態に示されたように前記床板体６８を起伏駆動したり、揺動駆動するという構成は含まれていないが、第１の実施の形態と同様、前記床板体６８を起伏駆動したり、揺動駆動することができる構成としてもよい。
【００６９】
前記制御装置２７を構成する前記リモートコントローラ２９には、第１の実施の形態と同様、図４に示す切換えスイッチ５４が設けられている。
【００７０】
このような構成であっても、介護者がベッド装置Ｂから離れるようなときに、前記リモートコントローラ２９に設けられた前記切換えスイッチ５４をオフにしておけば、利用者が前記床板体６８から降り、前記リモートコントローラ２９を不用意に操作するようなことがあっても、前記ベッドフレーム６１を下降させるのを防止することができる。
【００７１】
上述した第１、第２の実施の形態では、利用者が床板体上に居るか否かを検出するのに、検出手段としての前記検知スイッチによって前記床板体に加わる荷重を検出するようにしている。
【００７２】
前記検出手段としては、前記床板体上に利用者が居るか否か検出する手段としては、撮像手段などの光学的手段、赤外線センサー、或いは他の機械的、電気的手段によって検出するようにしてもよく、その手段は限定されるものではない。
【００７３】
また、リモートコントローラによる操作を切り換えるための切換えスイッチを前記リモートコントローラに設けるようにしたが、前記切換えスイッチはリモートコントローラ以外の箇所、たとえばベッド装置のボード体などに操作ボックスを設け、そこに前記切換えスイッチを設けるようにしてもよい。
【００７４】
また、操作手段としてリモートコントローラを例に挙げたが、リモートコントローラに代わりベッド装置のボード体などに操作ボックス、この操作ボックスに前記切換えスイッチとともに各種の操作釦を設けるようにしてもよい。
【符号の説明】
【００７５】
５…上下フレーム、８…上下駆動源(駆動手段)、１６…傾斜駆動源(駆動手段)、１８…床板体、２６…検知スイッチ(検出手段)、２７…制御装置(制御手段)、２８…起伏駆動源(駆動手段)、２９…リモートコントローラ(制御手段)、５１…入力部、５２…処理部、駆動出力部、５４…切換えスイッチ(駆動変更手段)。
【図１】
2019110976.tif 000003
【図２】
2019110976.tif 000004
【図３】
2019110976.tif 000005
【図４】
2019110976.tif 000006
【図５】
2019110976.tif 000007
【図６】
2019110976.tif 000008
【図７】
2019110976.tif 000009